(57)【要約】  主本体、フィニッシュ部分、および、クロージャ組立体を含むプラスチック圧力容器。主本体部分は、内部スペースを構成する。フィニッシュ部分は、主本体部分と一体的であり、内部スペースと連通する口部を構成する。フィニッシュ部分は、内側面、外側面、および、口部近くの上側リムを含む。内側面は、上側リム近くに構成された内側アンダーカットを有する。外側面は、上側リム近くに構成された外側アンダーカットを有する。クロージャ組立体は、内側アンダーカットおよび外側アンダーカットの両方と係合してフィニッシュ部分に取り付けられている。【選択図】図１
2018510099.tif 000002
【特許請求の範囲】
【請求項１】
プラスチック圧力容器であって、該プラスチック圧力容器は、
内部スペースを構成する主本体部分と、
前記主本体部分と一体的であり、前記内部スペースと連通した口部を構成するフィニッシュ部分と、を含み、前記フィニッシュ部分は、内側面、外側面、および、前記口部近くの上側リムを有し、前記内側面は、前記上側リム近くに構成された内側アンダーカットを有し、前記外側面は、前記上側リム近くに構成された外側アンダーカットを有し、
前記内側アンダーカットおよび前記外側アンダーカットの両方と係合して前記フィニッシュ部分に取り付けられたクロージャ組立体を更に含む、プラスチック圧力容器。
【請求項２】
前記主本体部分および前記フィニッシュ部分は、ポリエチレンテレフタレートを含む材料から作られている、請求項１に記載のプラスチック圧力容器。
【請求項３】
前記主本体部分および前記フィニッシュ部分は、ポリエチレンナフタレートおよび／またはポリエチレンフラノエートを含む材料から作られている、請求項１に記載のプラスチック圧力容器。
【請求項４】
前記内側アンダーカットは、前記フィニッシュ部分の前記内側面の実質的に全内周に沿って延びている、請求項１に記載のプラスチック圧力容器。
【請求項５】
前記外側アンダーカットは、前記フィニッシュ部分の前記外側面の実質的に全外周に沿って延びている、請求項１に記載のプラスチック圧力容器。
【請求項６】
前記フィニッシュ部分と前記クロージャ組立体の間に配置された封止部材を更に含む、請求項１に記載のプラスチック圧力容器。
【請求項７】
前記フィニッシュ部分は、前記封止部材と係合するために前記外側面上に配置された少なくとも１つのリブを含む、請求項６に記載のプラスチック圧力容器。
【請求項８】
前記フィニッシュ部分は、前記封止部材と係合するために前記外側面上に配置された少なくとも２つのリブを含む、請求項６に記載のプラスチック圧力容器。
【請求項９】
前記フィニッシュ部分は、長手方向軸線を構成し、前記内側アンダーカットおよび前記外側アンダーカットの少なくとも一方が、前記長手方向軸線と実質的に垂直な係合面を構成する、請求項１に記載のプラスチック圧力容器。
【請求項１０】
前記クロージャ組立体は、圧着係合部によって前記フィニッシュ部分に取り付けられている、請求項１に記載のプラスチック圧力容器。
【請求項１１】
前記クロージャ組立体は、弁を含む、請求項１に記載のプラスチック圧力容器。
【請求項１２】
前記内部スペース内に推進剤を含むエーロゾル混合物を更に含む、請求項１に記載のプラスチック圧力容器。
【請求項１３】
約４０から１６０psi（２．７５×１０5から１．１０×１０6Ｐａ）の間で加圧された前記内部スペース内の流体を更に含む、請求項１に記載のプラスチック圧力容器。
【請求項１４】
プラスチック圧力容器であって、該プラスチック圧力容器は、
内部スペースを構成する主本体部分と、
前記主本体部分と一体であり、前記内部スペースと連通した口部を構成するフィニッシュ部分と、を含み、前記フィニッシュ部分は、内側面、外側面、および、前記口部近くの上側リムを有し、前記内側面は、前記上側リム近くに構成された内側アンダーカットを有し、前記外側面は、前記上側リム近くに構成された外側アンダーカットを有し、
前記内側アンダーカットおよび前記外側アンダーカットの両方と係合して前記フィニッシュ部分に取り付けられたクロージャ組立体と、
前記内部スペース内の内容物と、を更に含む、プラスチック圧力容器。
【発明の詳細な説明】
【技術分野】
【０００１】
関連出願に対する相互参照
本願は、出典を明示することによってその開示内容全体が本願の一部とされる２０１５年４月１日に出願された米国仮出願第62/141,647号に対する優先権を主張する。
【０００２】
開示されている主題は、一般的には、加圧された内容物、例えば、エーロゾル混合物を保持するようになった容器に関する。開示されている構造および方法は、プラスチック圧力容器のネックフィニッシュ上にクロージャ組立体を封止するために使用されることができる。
【背景技術】
【０００３】
圧力容器は、エーロゾル混合物および炭酸飲料等のような加圧された内容物を貯蔵し、分配するために使用されることができる。圧力容器は、通常、４０−２００psi（２．７５×１０5 −１．３８×１０6 Ｐａ）の大きさの内圧に耐えることができなければならない。したがって、円筒形管並びに上端および下端を有する金属容器が、圧力容器のために使用されてきた。しかしながら、金属製容器は、時間が経つと錆びる傾向、および、金属容器が接触することがある表面を引っ掻く傾向のような或る欠点を有している。
【０００４】
プラスチック圧力容器を開発する試みがなされてきた。しかしながら、圧力容器の高い内部圧力は、加圧されていない液体のための包装のような、プラスチック容器が使用されてきた他の包装適用例において典型的に遭遇される圧力よりも著しく高い。したがって、プラスチック圧力容器のための設計考慮事項は、プラスチック飲料容器のようなより低い圧力包装適用例とは著しく異なる。エーロゾル混合物を貯蔵し、分配するためのプラスチック圧力容器の例が、出典を明示することによってその開示内容全体が本願の一部とされる米国出願第13/251,830号で提供されている。
【０００５】
それ故、プラスチック容器のフィニッシュ部分とクロージャ組立体の間に効果的なマウントおよび封止を提供するブロー成形されたプラスチック圧力容器に対する継続的なニーズがある。本開示は、これらのおよび他のニーズを満たす。
【発明の概要】
【０００６】
開示されている主題の目的および利点は、以下の説明に示され、以下の説明から明らかになるとともに、開示されている主題を実施することにより理解されるであろう。開示されている主題の追加の利点は、本願の詳細な説明および特許請求の範囲、並びに添付の図面に特に指摘されている方法およびシステムによって実現され、達成されるであろう。
【０００７】
これらのおよび他の利点を達成するために、具体化され、広く記載されている開示されている主題の目的によれば、開示されている主題は、プラスチック圧力容器を提供する。容器は、主本体部分、フィニッシュ部分、および、クロージャ組立体を含む。主本体部分は、内部スペースを構成する。フィニッシュ部分は、主本体部分と一体的であり、内部スペースと連通する口部を構成する。フィニッシュ部分は、内側面、外側面、および、口部近くの上側リムを含む。内側面は、上側リム近くに構成された内側アンダーカットを有する。外側面は、上側リム近くに構成された外側アンダーカットを有する。クロージャ組立体は、内側アンダーカットおよび外側アンダーカットと係合してフィニッシュ部分に取り付けられている。
【０００８】
本願で具体化されているように、主本体部分およびフィニッシュ部分は、ポリエチレンフタレートを含む材料から作られるのがよい。代替的には、本願で具体化されているように、主本体部分およびフィニッシュ部分は、ポリエチレンナフタレート(PEN)、ポリエチレンフラノエート(PEF)、または他のポリエーテル系ポリマーから作られていてもよい。内側アンダーカットは、フィニッシュ部分の内側面の実質的に全内周に沿って延びているのがよい。外側アンダーカットは、フィニッシュ部分の外側面の実質的に全外周に沿って延びているのがよい。
【０００９】
本願で具体化されているように、プラスチック圧力容器は、フィニッシュ部分とクロージャ組立体の間に配置された封止部材を更に含むのがよい。フィニッシュ部分は、少なくとも１のリブを含むがよい。いくつかの実施形態では、フィニッシュ部分は、少なくとも２つのリブを含むのがよい。フィニッシュ部分は、長手方向軸線を構成するのがよい。内側アンダーカットおよび外側アンダーカットの少なくとも一方が、前記長手方向軸線と実質的に垂直な係合面を構成するのがよい。クロージャ組立体は、圧着係合部によってフィニッシュ部分に取り付けられているのがよい。
【００１０】
上記の一般的な説明および以下の詳細な説明並びに図面は、例であり、例示の目的で提供され、開示されている主題の範囲をいかなる仕方でも限定することを意図しない。
【００１１】
本願に組み込まれ、本願の一部とされる添付の図面は、開示されている主題の構造および方法を例示し、開示されている主題の構造および方法の更なる理解を提供するために含められる。明細書および図面は共に、開示されている手段の原理を説明するのに役立つ。
【００１２】
本願の主題は、添付の図面に関連させて読まれるときに以下の詳細な説明からより容易に理解されるであろう。
【図面の簡単な説明】
【００１３】
【図１】上記の、および、本願で特許請求されている、主本体部分、フィニッシュ部分、および、クロージャ組立体を有するプラスチック圧力容器の例示的な実施形態の側面図である。プラスチック圧力容器の寸法および形状に対する変形例を提供することができることは明らかであろう。
【図２】クロージャ組立体をフィニッシュ部分上に圧着させる前の図１に示されているプラスチック圧力容器のフィニッシュ部分およびクロージャ組立体の横断面側面図である。
【図３】クロージャ組立体をフィニッシュ部分上に圧着させた後の図１に示されているプラスチック圧力容器のフィニッシュ部分およびクロージャ組立体（明確化のために弁は省略されている）の横断面側面図である。図３に示されているように、クロージャ組立体は、フィニッシュ部分の内側アンダーカットおよび外側アンダーカットの両方と係合してフィニッシュ部分に取り付けられている。
【図４】例示的な寸法形状を示す、プラスチック容器のフィニッシュ部分の拡大詳細側面図である。
【図５】図４の５−５線に沿ったプラスチック圧力容器のフィニッシュ部分の横断面図である。フィニッシュ部分は、図５に示されているように、上側リム近くに構成された内側アンダーカットを有する内側面、および、上側リム近くに構成された外側アンダーカットを有する外側面を含む。例示的な寸法形状が示されている。
【発明を実施するための形態】
【００１４】
今、例が添付の図面に示されている開示されている主題の実施形態に詳細に言及する。開示されている主題を、システムの詳細な説明と関連させて説明する。
【００１５】
開示されている主題は、プラスチック圧力容器のクロージャ組立体とフィニッシュ組立体の間の改良された封止を提供する。開示されている主題は、ハイブリッド封止システムを含み、クロージャ組立体は、プラスチックネックフィニッシュの内側面および外側面の両方上に圧着されるのがよい。それ故、プラスチック圧力容器のフィニッシュ部分は、フィニッシュ部分の両面上でクロージャ組立体をフィニッシュ部分に取り付けるために内側面および外側面の両方上でクロージャ組立体の側壁の間に配置される。かかる構成は、かくして、プラスチック圧力容器のクロージャ組立体とフィニッシュ部分の間で多数の接触箇所を提供し、それによって、クロージャ組立体とフィニッシュ部分の間の係合のための全体表面を増大させる。本願で具体化されているように、クロージャ組立体は、例えば、内側面および外側面の両方上で、プラスチックネックフィニッシュと係合してプラスチックネックフィニッシュ上に取り付けられるのがよい。
【００１６】
本願で具体化されているように、プラスチック圧力容器は、種々の液体および気体成分を貯蔵し、分配するために使用されることができる。プラスチック圧力容器は、加圧された成分、例えば、約４０psi（２．７５×１０5Ｐａ）から約２００psi（１．３８×１０6 Ｐａ）の圧力を有する成分を貯蔵し、分配することができる。例として、限定のためでなく例示のために本願で言及されているように、プラスチック圧力容器は、液体推進剤を含むエーロゾル混合物を含むことができる。かかる適用例では、プラスチック圧力容器は、約８０psi（５．５０×１０5Ｐａ）から１００psi（６．８８×１０5Ｐａ）までの圧力、或いは、それよりも大きい（例えば、１６０psi（１．１０×１０6Ｐａ）までの）圧力に耐えることができる。別の例として、プラスチック圧力容器は、炭酸液を含むことができる。かかる適用例では、プラスチック圧力容器は、約４０psi（２．７５×１０5Ｐａ）から約６０psi（４．１３×１０5 Ｐａ）までの圧力に耐えることができる。
【００１７】
開示されている主題の１つの観点によれば、プラスチック圧力容器が提供される。容器は、主本体部分、フィニッシュ部分、および、クロージャ組立体を含む。主本体部分は、内部スペースを構成する。フィニッシュ部分は、主本体部分と一体的であり、内部スペースと連通する口部を構成する。フィニッシュ部分は、内側面、外側面、および、口部近くの上側リムを含む。内側面は、上側リム近くに構成された内側アンダーカットを有する。外側面は、上側リム近くに構成された外側アンダーカットを有する。クロージャ組立体は、内側アンダーカットおよび外側アンダーカットの両方と係合してフィニッシュ部分に取り付けられている。
【００１８】
例示の目的のためだけに、プラスチック圧力容器の例示的な実施形態が、図１に示されている。本願における例は、いかなる仕方でも開示されている主題の範囲を制限することを意図しない。特に、示されているように、プラスチック圧力容器１０は、主本体部分１２、フィニッシュ部分１４、および、エーロゾル製品のためのクロージャ組立体２４を含み、クロージャ組立体２４は、図示されているように、エーロゾル製品を分配するのに適した弁２４Ａを含む。プラスチック圧力容器１０は、底部分１８を更に含み、エーロゾル製品および加圧流体、例えば、液体または気体内容物のような種々の適当な内容物３０を収容することができる。
【００１９】
本願で具体化されているように、主本体部分１２は、プラスチック圧力容器１０内で内部スペースを構成する。内部スペースは、エーロゾル製品および加圧流体、例えば、液体または気体内容物３０のような適当な内容物３０を保持するためのチャンバを形成することができる。
【００２０】
例えば、本願で具体化されているプラスチック容器は、エーロゾル混合物を含むことができる。エーロゾル混合物は、好ましくは、推進剤を含み、推進剤は、液化気体推進剤または圧縮または溶解可能は気体推進剤であり得る。使用し得る液化気体推進剤には、プロパン、イソブテン、ノルマルブタン、イソペンタン、ノルマルペンタン、およびジメチルエーテルのような炭化水素推進剤、および、ジフルオロエタン(HFC-152a)、テトラフルオロエタン、および、テトラフルオロプロペン(HFO-1234ze)のようなハイドロフルオロカーボンがある。使用し得る圧縮および溶解可能な気体推進剤には、二酸化炭素(CO2)、亜酸化窒素(N2O)、窒素(N2)、および、圧縮空気がある。
【００２１】
代替的には。プラスチック圧力容器は、推進剤を含まない他の加圧された内容物を含み得る。例えば、限定でなく、プラスチック圧力容器は、ソフトドリンク若しくはビールのような炭酸液体、または香気濃縮物を保持することができる。
【００２２】
本願で具体化され、図１に示されているように、フィニッシュ部分１４は、主本体部分と一体的であるのがよい。フィニッシュ部分１４は、内部スペースと連通している口部を構成するのがよい。限定でなく、更なる例示の目的で、図２−図５は、フィニッシュ部分の追加の図を提供する。
【００２３】
図２および図３を参照すると、フィニッシュ部分は、内側面２０、外側面３０、および、口部近くの上側リム４０を含む。内側アンダーカット２２が、内側面２０内に構成されている。内側アンダーカット２２は、上側リム４０近くにある。内側アンダーカット２２は、フィニッシュ部分１４の内側面２０の実質的に全内周に沿って延びている。内側アンダーカット２２は、かくして、上側リム４０の下方で内径（例えば、図５の径Ｄ２によって示されているように）を構成することができる。リム部分４０もまた、口部近くに内径（例えば、図５の径Ｄ１によって示されているように）を構成することができる。図２および図３に示されているように、内側アンダーカット２２における内径は、上側リム４０における内径よりも大きいのがよい。
【００２４】
更に、本願で具体化されているように、外側アンダーカット３２が、フィニッシュ部分１４の外側面３０内に構成されている。外側アンダーカット３２は、上側リム１４近くにある。外側アンダーカット３２は、例えば、図４に示されているように、フィニッシュ部分１４の外側面３０の実質的に全外周に沿って延びている。
【００２５】
図５は、フィニッシュ部分１４の詳細図を提供しており、内側アンダーカット２２および外側アンダーカット３２の例示的な実施形態を示している。図５に示されているように、内側アンダーカット２２は、輪郭付けされ、湾曲されているのがよい。アンダーカット２２の輪郭の顕著性または複雑性は、必要に応じて変化し得る。例えば、本願で具体化されているように、内側アンダーカットの輪郭は、図２−図５に示されているよりも、より直線的であり、或いは、より湾曲されていることができる。図５を参照すると、例示の目的で、内側アンダーカット２２の角度ａは、アンダーカット２２の接線である線ｘによって規定されるのがよい。下側アンダーカット２２の角度ａは、線ｘと鉛直線ｙとの間にある角度であるのがよい。例として、角度ａは、約１０°の最小値と約５０°の最大値との間の範囲にあるのがよい。
【００２６】
本願で具体化されているように、外側アンダーカット３２は、輪郭付けされ、湾曲されているのがよい。代替的には、外側アンダーカットは、横断面が多角形、例えば、三角形または矩形を有するのがよい。図５で距離Ｄ５によって規定されているように、外側アンダーカット３２と上側リム４０の間の寸法形状は、例えば、弁組立体２４の形状に基づくのがよい。或る実施形態では、この寸法形状は、既存の圧着システムおよび方法に適合的である。
【００２７】
内側アンダーカット２２および外側アンダーカットの深さは、それぞれ、プラスチック圧力容器内の内容物の圧力、並びに、クロージャ組立体の材料および構成を含む種々の設計仕様に基づくのがよい。
【００２８】
限定でなく、例の目的で、図５に示されているようなフィニッシュ部分および圧力容器のための例示的な寸法形状に言及する。例示として、例示的な寸法形状は、上側リム４０における約１インチ（２．５４ｃｍ）の径Ｄ１、および、約１リットルの最大容積を有する。かかる容器は、産業基準に従っており、かくして、既存の製造および包装工程との適合性を提供し得る。しかしながら、この例は、本開示の範囲を制限することを意図せず、当業者は、これらの技術および寸法形状が、開示されている主題にしたがって種々の寸法の圧力容器に適合され得ることを認識するであろう。
【００２９】
図４および図５に示されている選択された寸法形状のための範囲は、以下の表１に再現されている。表１はまた、種々の寸法形状の間の例示的な比率を示す例の実施形態を提供する。表１では、外側アンダーカットの深さは、上側リム４０における外径Ｄ３と外側アンダーカット３２における外径Ｄ４との差の１／２に等しい。
【表１】
2018510099.tif 000003
【００３０】
本願で具体化されているように、フィニッシュ部分１４は、外側面３０上にフランジ７０を更に含むのがよい。フランジ７０は、フィニッシュ部分および／または圧力容器の製造および組み立て中に部品移送のために使用することができる支持棚部として構成されるのがよい。フランジ７０はまた、例えば、容器内の内圧に対抗することによって、組み立てられた圧力容器に追加の強度および支持を提供することができる。
【００３１】
本願で具体化されているように、フィニッシュ部分１４は、プラスチック圧力容器上に取り外し可能な蓋またはキャップを取り付けるための種々の特徴を更に含んでもよい。例として、フィニッシュ部分１４は、取り外し可能な蓋またはキャップと係合するための１つまたはそれ以上のねじ山、クリップ、リブ、リッジ等を含んでもよい。
【００３２】
本願で具体化されているように、主本体部分１２およびフィニッシュ部分１４は、ポリエチレンテレフタレートを含む材料から作られているのがよい。代替的には、本願で具体化されているように、主本体部分およびフィニッシュ部分は、ポリエチレンナフタレート(PEN)、ポリエチレンフラノエート(PEF)、または他のポリエーテル系ポリマーから作られていてもよい。
【００３３】
更に図１を参照すると、クロージャ組立体２４は、内容物を分配するための弁２４Ａ等を含むのがよい。クロージャ組立体は、プラスチック圧力容器１０のフィニッシュ部分１４に取り付けられている。図２および図３は、フィニッシュ部分１４とクロージャ組立体の間の係合の詳細図を提供する。図２は、圧着前のフィニッシュ部分１４およびクロージャ組立体２４の係合を示しており、図３は、圧着後のフィニッシュ部分１４およびクロージャ組立体２４の係合を示している。図３に示されているように、クロージャ組立体２４は、フィニッシュ部分１４の内側アンダーカット２２および外側アンダーカット３２と係合している。
【００３４】
本願で具体化されているように、限定でなく、例示の目的でのみ、クロージャ組立体２４は、金属クロージャ組立体、例えば、金属弁カップであるのがよい。それ故、フィニッシュ部分１４の封入プラスチックは、フィニッシュ部分１４の両側を制限する金属境界により変形を抑制することができるようになった。更に、全体の積層構造（すなわち、金属／プラスチック／金属）は、同様に、高い充填および使用状態に晒されたときに、同時に移動するようになる。積層構造はまた、圧着および充填作業による応力および歪に耐える強度を提供し、プラスチックと金属の間に形成される密閉封止は、容器からの内容物の漏れ通路を抑制するのに十分に安定的であることができる。代替的に、または、追加的に、クロージャまたはクロージャ組立体は、プラスチッククロージャ組立体であってもよい。例えば、クロージャまたはクロージャ組立体は、全体的にプラスチックであっても、全体的に金属であっても、或いは、プラスチック成分および金属成分の両方を含んでもよい。クロージャまたはクロージャ組立体は、プラスチック圧力容器のエーロゾル製品または加圧流体、例えば、気体または液体内容物を分配するのに適した任意の構成特徴を有するのがよい。
【００３５】
金属クロージャ組立体を有する実施形態では、図２および図３を参照すると、クロージャ組立体２４は、金属パネル５０を含むのがよい。弁軸（図示せず）が、金属製パネル５０に取り付けられているのがよい。金属製パネル５０は、外側壁部分５４を含む環状の下向きに延びる部分５２を含むのがよく、外側壁部分５４は、実質的に真っ直ぐで鉛直であるように配向されており、それによって、開口部へのブランククロージャ組立体２４の便利な挿入を可能にする。金属製パネル５０はまた、好ましくは、フィニッシュ部分１４の上側リム４０と一致し、フィニッシュ部分１４の上側リム４０に当たって封止するフランジ部分５６を含む。
【００３６】
クロージャ組立体２４は、圧着係合によってフィニッシュ部分に取り付けられるのがよい。図３に示されているように、圧着されるときに、フランジ部分５６は、内側アンダーカット２２および外側アンダーカット３２の両方と一致し、内側アンダーカット２２および外側アンダーカット３２の両方内に係合される。例えば、フィニッシュ部分１４は、長手方向軸線を規定するのがよく、内側アンダーカット２２および外側アンダーカット３２の少なくとも一方は、フィニッシュ部分１４の長手方向軸線と実質的に垂直である係合面を構成するのがよい。以下に説明するように、内側アンダーカット２２および外側アンダーカット３２の両方との圧着係合を容易にするために、種々の圧着技術を使用することができる。
【００３７】
本願で具体化されているように、図２および図３を参照すると、プラスチック圧力容器は、フィニッシュ部分１４とクロージャ組立体２４との間に配置された封止部材６０を更に含むのがよい。封止部材は、ガスケットまたはＯ-リングであるのがよく、ブナＮ(Buna-N)、ネオプレン、バイトン(Viton)、ブチル、シリコーン、或いは他の適当な材料から作られているのがよい。フィニッシュ部分１４は、封止部材が係合するようになる面に沿って延びる少なくとも１つのリブ６２を随意に含んでもよい。いくつかの実施形態では、例えば、図２および図３に示されているように、フィニッシュ部分１４は、少なくとも２つのリブ６２を含むのがよい。リブ６２は、フィニッシュ部分１４の上側リム４０上に配置されるのがよい。リブ６２は、上側リム４０の実質的に全周に沿って延びるのがよい。
【００３８】
本願で具体化されているように、プラスチック圧力容器は、任意の適当な方法によって作られるのがよい。いくつかの観点では、プラスチック圧力容器のフィニッシュ部分上にクロージャ組立体を封止する方法が提供される。例えば、プラスチック圧力容器は、内側アンダーカット２２、外側アンダーカット３２、および、随意に、１つまたはそれ以上のリブ６２を有するフィニッシュ部分を含む予備成形物を、射出成形によって形成することによって作ることができる。フィニッシュ部分１４は、クロージャ組立体２４と係合するための内側アンダーカット２２および外側アンダーカット３２の両方を含むように構成されているので、各アンダーカットは、単一のアンダーカットが設けられている場合よりは浅くなる（すなわち、より小さいアンダーカット寸法）ことができ、それでもなお十分な係合面を提供することができる。このようにして、より浅いアンダーカットの使用は、射出成形によるフィニッシュ部分１４の製造を簡単化することができる。
【００３９】
更に、予備成形物のフィニッシュ部分１４は、クロージャ組立体との係合のためにフィニッシュを更に強化するために、結晶化されるのがよい。例えば、フィニッシュ部分１４は、予備成形物のフィニッシュ部分だけに局在化された加熱を使用して結晶化されるのがよい。結晶化中、内側アンダーカット部分は、幾何学的形状を維持するように支持されるのがよい。例えば、プラグをフィニッシュ部分１４の口部内に挿入して、内側アンダーカット２２に支持を提供することができ、内側アンダーカットの内径を維持することができる。本願で具体化されているように、プラグを単一の円筒形で作り、フィニッシュ部分１４をアンダーカット２２の上方の位置で支持することができる。更に、１つまたはそれ以上のピンを使用して、結晶化中に外側アンダーカット３２を支持することができる。
【００４０】
フィニッシュ部分を結晶化した後に、主本体部分１２をブロー成形してその最終寸法形状にするのがよい。図１を参照すると、主本体部分１２は、全体的にボトル形状にされるのがよく、或いは、任意の代替的な適当な形状を有するのがよい。主本体部分１２は、フィニッシュ部分１４と一体的であるのがよく、底部分１８を含むのがよい。
【００４１】
一旦、主本体部分１２をブロー成形した後に、内部スペースを任意の適当な内容物３０で充填するのがよく、クロージャ組立体２４をフィニッシュ部分１４上に取り付け、クロージャ組立体２４をフィニッシュ部分１４と係合するように圧着するのがよい。図２および図３を参照すると、工具を使用して、フランジ部分５４の一部が内側アンダーカット２２にしっかりと当たって着座されるように、図３に示された位置内に外方にクロージャ組立体２４の外側壁部分を圧着させるように圧力を加えるのがよい。かくして、クロージャ組立体２４を、クロージャ組立体２４が内側アンダーカット２２および外側アンダーカット３２と係合するように、取り付けることができる。このようにして、クロージャ組立体２４は、容器の内部加圧化によりさもなくば生じ得るフィニッシュ部分１４からの外れが生じないように、しっかりと取り付けられることができる。
【００４２】
圧着中、クロージャ組立体２４を、内側アンダーカット２２および外側アンダーカット３２の両方に当てて圧着させるために、内側面２０および外側面３０の両方に圧力を加えるのがよい。したがって、圧着中、フィニッシュ部分１４は、内側面２０および外側面３０の両方において支持されるのがよい。両方の面に支持を与えることによって、圧着工程中にフィニッシュ部分１４に置かれる応力の量を減らすことができ、かくして、フィニッシュ部分１４の割れおよび変形を防止ないし最小にすることができる。
【００４３】
開示されている主題を、いくつかの好ましい実施形態に関して説明してきたけれども、当業者は、本発明の範囲から逸脱することなく、開示されている主題に種々の変更および改良をなすことができることを認識するであろう。更に、開示されている主題の１つの実施形態の個々の特徴は、他の実施形態においてでなく、その１つの実施形態において本願明細書において説明され、図面に示されることができるけれども、１つの実施形態の個々の特徴は、もう１つの実施形態の１つまたはそれ以上の特徴または複数の実施形態からの特徴と組み合わせることができることは明らかである。
【００４４】
本願明細書に説明せれている構成要素の各々は、その意図する目的のために任意の適当な材料（例えば、プラチック、複合材、金属等）で作られるのがよい。示され、特許請求されている種々の実施形態に加えて、開示されている主題はまた、本願で開示され、特許請求されている特徴の任意の他の可能な組み合わせを有する他の実施形態にも向けられている。それ故、本願で提示されている特定の特徴は、開示されている主題が、本願に開示されている特徴の任意の適当な組み合わせを含むように、開示されている主題の範囲内で他の仕方で互いに組み合わせることができる。更に、本開示に亘ってプラスチック圧力容器に言及がなされているけれども、他の適当な材料で作られた容器も同様に本願で開示された特徴を含むことができる。同様に、容器は、圧力容器である必要はなく、クロージャ組立体は、キャップ、蓋、或いは容器の内容物を分配するための他の特徴等の幅広い種々のクロージャ組立体を含むことができる。かくして、開示されている主題の特定の実施形態のこれまでの記載は、例示および説明の目的で提示されてきたものであり、網羅的なものでなく、開示されている主題を開示されているそれらの実施形態に制限することを意図しない。
【００４５】
開示されている主題の精神および範囲から逸脱することなく、開示されている方法およびシステムにおいて種々の変更および変形をなすことができることは、当業者には明らかであろう。かくして、開示されている主題は、添付の特許請求の範囲およびそれらの均等物内にある変更および変形を含むことを意図している。
【図１】
2018510099.tif 000004
【図２】
2018510099.tif 000005
【図３】
2018510099.tif 000006
【図４】
2018510099.tif 000007
【図５】
2018510099.tif 000008
【国際調査報告】
2018510099.tif 000009